Podtech/llm-jp-corpus-v4-ja_patent huggingface dataset:
(57)【要約】      （修正有）【課題】ゴルフショット時、親指付根部に衝撃を受け、炎症をおこすことを防止する。【解決手段】ゴルフグローブ（１）に、親指付根保護テープ（２）を親指付根部に取り付け、手の甲側の面ファスナー（２Ｂ）と面ファスナー（２Ａ）により止め外しができるようにする。以上の構成からなる親指付根保護テープ付きゴルフグローブである。【選択図】図１
0003113310.tif 000002
【実用新案登録請求の範囲】
【請求項１】
（１）ゴルフグローブの親指から付け根にかけて、（２）マジックテープ付の布を縫着する。ゴルフグローブの甲側に（２Ｂ）マジックテープ接合部を縫着する。これにより、個人のサイズに合わせ強弱を調節し、親指付根部にかかる衝撃及び炎症を防ぐことが出来ることを特徴とするゴルフグローグ。
【考案の詳細な説明】
【技術分野】
【０００１】  本考案は、ゴルフスイング時の親指付根部を保護することを目的としたゴルフグローブに関するものである。
【背景技術】
【０００２】  従来のゴルフグローブの目的は、ゴルフクラブを緊密に握られるようにすることであり、ゴルフショット時、親指付根部に受ける衝撃及び炎症を防ぐためのゴルフグローブは全くないのである。
【考案の開示】
【考案が解決しようとする課題】
【０００３】  したがって、本考案の主な目的は、従来の機能を保持している以外に、使用者がはめるときに使用者の親指付根部を保護する機能が付いているゴルフグローブを提供することにある。
【課題を解決するための手段】
【０００４】  本考案は、従来の機能を保持したゴルフグローブに親指付根部と甲側に各々マジックテープを縫着し、ゴルフグローブの使用者の手を入れ、親指付根部と甲側のマジックテープを結合させるのである。使用者がゴルフグローブを装着し、ゴルフショットをした時、その結合部分が親指付根部を保護する効果を達成できる。
【考案を実施するための最良の形態】
【０００５】  以下、本考案の実施例を図面に基づいて説明する。
【実施例１】
【０００６】  図１及び図２は本発明の実施例に係るグローブを示すもので、通常の右利の人が左手に着用する左手用のグローブである。
（２）親指付根保護テープの付いた（１）ゴルフグローブを手にはめ、親指部の（２Ａ）マジックテープと（２Ｂ）マジックテープを結合させる。これにより、ゴルフショットをした時、親指付根部にかかる負荷が少なくなり、保護することができる。
【産業上の利用可能性】
【０００７】  本発明は、ゴルフショットをした時、親指付根部にかかる負荷が少なくなり、保護することができるゴルフグローブに関する。
【図面の簡単な説明】
【０００８】
【図１】本発明に係るゴルフグローブの正面図である。
【図２】本発明に係るゴルフグローブの実施例を示す図である。
【符号の説明】
【０００９】  １    ゴルフグローブ
２    親指付根保護テープ
２Ａ  マジックテープ
２Ｂ  マジックテープ
【図１】
0003113310.tif 000003
【図２】
0003113310.tif 000004
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフグローブ（１）の親指から付け根にかけて、面ファスナー付の布（２）を縫着し、ゴルフグローブの甲側に面ファスナー（２Ｂ）接合部を縫着することにより個人のサイズに合わせ強弱を調節し親指付根部にかかる衝撃及び炎症を防ぐことが出来ることを特徴とするゴルフグローグ。
【手続補正２】
【補正対象書類名】明細書
【補正対象項目名】全文
【補正方法】変更
【補正の内容】
【考案の詳細な説明】
【技術分野】
【０００１】本考案は、ゴルフスイング時の親指付根部を保護することを目的としたゴルフグローブに関するものである。
【背景技術】
【０００２】従来のゴルフグローブの目的は、ゴルフクラブを緊密に握られるようにすることであり、ゴルフショット時、親指付根部に受ける衝撃及び炎症を防ぐためのゴルフグローブは全くないのである。
【考案の開示】
【考案が解決しようとする課題】
【０００３】したがって、本考案の主な目的は、従来の機能を保持している以外に、使用者がはめるときに使用者の親指付根部を保護する機能が付いているゴルフグローブを提供することにある。
【課題を解決するための手段】
【０００４】本考案は、従来の機能を保持したゴルフグローブに親指付根部と甲側に各々面ファスナーを縫着し、ゴルフグローブの使用者の手を入れ、親指付根部と甲側の面ファスナーを結合させるのである。使用者がゴルフグローブを装着し、ゴルフショットをした時、その結合部分が親指付根部を保護する効果を達成できる。
【考案を実施するための最良の形態】
【０００５】以下、本考案の実施例を図面に基づいて説明する。
【実施例１】
【０００６】図１及び図２は本発明の実施例に係るグローブを示すもので、通常の右利の人が左手に着用する左手用のグローブである。親指付根保護テープ（２）の付いたゴルフグローブ（１）を手にはめ、親指部の面ファスナー（２Ａ）と面ファスナー（２Ｂ）を結合させる。これにより、ゴルフショットをした時、親指付根部にかかる負荷が少なくなり、保護することができる。
【産業上の利用可能性】
【０００７】本発明は、ゴルフショットをした時、親指付根部にかかる負荷が少なくなり、保護することができるゴルフグローブに関する。
【図面の簡単な説明】
【０００８】
【図１】本発明に係るゴルフグローブの正面図である。
【図２】本発明に係るゴルフグローブの実施例を示す図である。
【符号の説明】
【０００９】１    ゴルフグローブ
２    親指付根保護テープ
２Ａ  面ファスナー
２Ｂ  面ファスナー
【手続補正３】
【補正対象書類名】図面
【補正対象項目名】全図
【補正方法】変更
【補正の内容】
【図１】
0003113310.tif 000005
【図２】
0003113310.tif 000006
(57)【要約】      （修正有）【課題】高所作業時に墜落事故を防ぐ為、新築施工事、既存屋根共、下地材に取り付ける事の出来る安全帯取付用金具を提供する。【解決手段】安全帯取付用金具の構成は、墜落時の衝撃荷重に基づき強度及び対天候性の有るステンレス等の材質を用い、取付プレート２、本体綱部分１等で製作することが出来る。安全帯取付用金具は、瓦屋根新設時、既設屋根に対しビス類で容易に固定することが可能で有り、安全帯を使用する事が出来る。及び瓦本体に安全帯取付用金具を内蔵し一体成形する事により安全帯取付用機能を持たせることが出来る。【選択図】図３
0003113301.tif 000002
【実用新案登録請求の範囲】
【請求項１】
本発明は安全帯のフックを取り付けるための金具である。建築物で勾配のある屋根に使用する和瓦、洋瓦等の多種類で、重なり段差の大きい物に適応し強度、耐候性に優れる綱、ステンレスワイヤー等を用い両先端にフック用ループ３を設け、本体綱部分1を構成する。取付プレート２に設けてあるイカ頭の首部分に本体綱部分1のループを引っ掛けることが容易であり金具本体を構成できる。瓦葺き時に下瓦の上へ本体綱部分１が露出する位置に取付プレート２を下地材8にビス等で固定する事により、安全帯の使用可能となる安全帯取付用金具である。参考  図１、図２      
【請求項２】
本発明は、瓦の成形時に安全帯取付用金具を内部取り付け部分９と外部接続部分１０に部品化し曲げ加工を施し瓦と内部金具部分９を一体成形する事が出来る。成形後、外部金具接続部分1０をボルト1１で締結することにより安全帯取付用金具一体と成り、安全帯を使用する事が出来る瓦一体型の安全帯取付用金具。参考  図３
【考案の詳細な説明】
【技術分野】
【０００１】
本発明は、瓦屋根上の高所作業時に墜落事故を防ぐ為、新築施工事、既存屋根共、下地材８に取り付ける事の出来る安全帯取付用金具である。及び瓦本体に安全帯取付用金具を内蔵して一体成形を行う事が出来、瓦本体に安全帯取付用機能を持たせることが出来る。
【背景技術】
【０００２】
従来の瓦、瓦屋根には安全帯を取り付ける装置は無く雪、雨天時は滑りやすい。メンテナンス作業時、墜落の危険が有る。瓦形状は多種類有り形状に合わせた金具は市場に無い。墜落事故防止の為、安全具の開発が要望されている。
【０００３】
この改善策として、新築時屋根には安全帯取付用金具の取り付け、既存屋根の場合は部分的に瓦を外し、屋根下地にビス類の使用により容易に取り付ける事が出来る、安全帯取付用金具の提供を目的とする。及び瓦本体に安全帯取付用金具を内蔵し一体成形する事により安全帯取付用機能を持たせることが出来る。
【特許文献１】特開平８―１３５０９６
【考案の開示】
【考案が解決しようとする課題】
【０００４】
前記、「背景技術」に示す様に瓦形状は多種類であり形状に合わせた金具の製作は難しい。瓦形状に適合し墜落時の衝撃に耐える強度が有り、瓦性能を保ち雨漏れの無い金具としなければならない。
【課題を解決するための手段】
【０００５】
「請求項１」の発明は図１、図３に形態を示し、本体綱部分１を、瓦の重なり部分段差、及び凹凸形状に対応し強度、対候性があり曲げが容易な綱、ステンレスワイヤー等を選定し用いる事により墜落衝撃荷重を解決することが出来る。本金具取付に対しては、取付プレート２を、ビス類で下地材８に固定し、本体綱部分１の上瓦に対しては瓦の雨返し部分を予めワイヤーの通る部分を欠き取るだけで良く、通常の瓦葺き作業で取り付ける事の出来る、安全帯取付用金具
【０００６】
「請求項２」の発明は、図４、図５に形態を示し、安全帯取付用金具を瓦に一体成形が容易に行われる為に部品化しプレス成形を可能にした事を特徴とする。瓦寸法に合う形状に曲げ加工した内部金具部分９を瓦に内蔵し一体成形を行ない瓦上に突き出た部分に外部金具部分1０をボルト1１で締結することにより取付用金具は一体と成り安全帯の使用が可能となる、瓦一体型安全帯取付用金具。
【図面の簡単な説明】
【０００７】
【図１】安全帯取付用金具平面図
【図２】安全帯取付用金具側面図
【図３】安全帯取付用金具側面図
【図４】瓦一体型安全帯取付用金具平面図
【図５】瓦一体型安全帯取付用金具断面図
【符号の説明】
【０００８】
１  本体綱（ワイヤー）部分
２  取付プレート
３  フック用ループ
４  ワイヤースリーブ
５  ビス穴
６  フック用穴
７  安全帯フック
８  下地材
９  内部金具部分
１０外部金具部分
１１ボルト
【図１】
0003113301.tif 000003
【図２】
0003113301.tif 000004
【図３】
0003113301.tif 000005
【図４】
0003113301.tif 000006
【図５】
0003113301.tif 000007
【手続補正書】
【提出日】平成16年12月15日(2004.12.15)
【手続補正１】
【補正対象書類名】実用新案登録請求の範囲
【補正対象項目名】全文
【補正方法】変更
【補正の内容】
【実用新案登録請求の範囲】
【請求項１】
鋼又はステンレスワイヤーからなり、両先端にフック用ループ３を設けた安全対取付用金具。参考  図1、図3
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
本発明は安全帯のフックを取り付けるための金具である。建築物で勾配のある屋根に使用する和瓦、洋瓦等の多種類で、重なり段差の大きい物に適応し強度、耐候性に優れる綱、ステンレスワイヤー等を用い両先端にフック用ループ３を設け、本体綱部分１を構成する。取付プレート２に設けてあるイカ頭の首部分に本体綱部分１のループを引っ掛けることが容易であり金具本体を構成できる。瓦葺き時に下瓦の上へ本体綱部分１が露出する位置に取付プレート２を下地材８にビス等で固定する事により、安全帯の使用可能となる安全帯取付用金具である。
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
安全帯のフックを取り付けるための金具であって、建築物で勾配のある屋根に使用する和瓦、洋瓦等の多種類で、重なり段差の大きい物に適応し強度、耐候性に優れる綱、ステンレスワイヤー等を用い両先端にフック用ループ３を設け、本体綱部分1を構成し、取付プレート２に設けてあるイカ頭の首部分に本体綱部分1のループを引っ掛けることが出来るように金具本体を構成し、瓦葺き時に下瓦の上へ本体綱部分１が露出する位置に取付プレート２を下地材8にビス等で固定する事により、安全帯の使用可能となる安全帯取付用金具。
(57)【要約】      （修正有）【課題】誰でも早く、かつ簡単に折れるようにした、折り鶴おりの補助具を提供する。【解決手段】折り鶴の折り目をつけ、折り畳めるようにした２組の型板１・型板２を３で結合する。型板は、薄くて型崩れしない金属製やプラスチック製の薄い板で構成する。【選択図】図１
0003113308.tif 000002
【実用新案登録請求の範囲】
【請求項１】
折り鶴の折り目をつけ、折り畳めるようにした２組の型板１・型板２で構成する折り鶴おりの補助具
【考案の詳細な説明】
【考案の詳細な説明】
【産業上の利用分野】
【０００１】  この考案は、折紙で折り鶴や千羽鶴をおるときの補助具である。
【背景技術】
【０００２】  折紙で折り鶴や千羽鶴をおる場合、従来では面倒な工程を手折りする方法しかなく、沢山の折り鶴を作る必要がある場合などは、大変な時間が必要であった。
また、折り鶴をおるには面倒な工程が多く、なかなか憶え難いものであった。
【考案が解決しようとする課題】
【０００３】  本案は、手間のかかる折り鶴を、誰でも早くかつ簡単におれるようにするものである。
【課題を解決するための手段】
【０００４】  折紙に、折り鶴の折り目を付けることが出来れば、簡単に折り鶴をおることが出来るようになる。したがって、折紙に折り鶴の折り目を付ける方法として、本案では折り鶴の折り目をつけ、折り畳めるようにした２組の型板１・型板２の間に折紙を挟み、図３のように折り畳むことによって、早く簡単に、折紙に折り鶴の折り目を付けることを可能にしたものである。
【構成】
【０００５】図２の型板１の詳細な説明
イ）線ＡＢ＝線ＣＤ＝線ＢＣ＝線ＤＡの正方形とする
ロ）正方形ＡＢＣＤの対角線ＡＣと対角線ＢＤの交点をＳとする。
ハ）対角線ＡＣと対角線ＢＤ上の点、ＷＸＹＺは
線ＡＢ＝線ＡＷ、線ＢＣ＝線ＢＸ、線ＣＤ＝線ＣＹ、線ＤＡ＝線ＤＺとする。
ニ）線ＡＺと線ＢＹの交点をＯ、線ＢＷと線ＣＺの交点をＰ、線ＣＸと線ＤＷの交点をＱ線ＤＹと線ＡＸの交点をＲとする。
ホ）以上のような点で構成される線ＡＣ、線ＯＰ、線ＲＱを谷折とする。
線ＡＯ、線ＢＯ、線ＢＰ、線ＣＰ、線ＣＱ、線ＤＱ、線ＤＲ、線ＡＲ、線ＯＱ、線ＰＲを山折とする。
図２の型板２の詳細な説明
イ）線ａｂ＝線ｃｄ＝線ｂｃ＝線ｄａの正方形とする
尚、線ａｂ＝線ＡＢ、線ｂｃ＝線ＢＣとし、相似の関係にある。
ロ）正方形ａｂｃｄの対角線ａｃと対角線ｂｄの交点をｓとする。
ハ）対角線ａｃと対角線ｂｄ上の点、ｗｘｙｚは
線ａｂ＝線ａｗ、線ｂｃ＝線ｂｘ、線ｃｄ＝線ｃｙ、線ｄａ＝線ｄｚとする。
ニ）線ａｚと線ｂｙの交点をｏ、線ｂｗと線ｃｚの交点をｐ、線ｃｘと線ｄｗの交点をｑ線ｄｙと線ａｘの交点をｒとする。
ホ）以上のような点で構成される線ｂｄ、線ｏｒ、線ｐｑを山折とする。
線ａｏ、線ｂｏ、線ｂｐ、線ｃｐ、線ｃｑ、線ｄｑ、線ｄｒ、線ａｒ、線ｏｑ、線ｐｒを谷折とする。
山折・谷折の構成
山折、谷折する部分については、その部分を一度切断し、テープ等で再度補間することにより、スムーズな開閉を実現する。
【効果】
【０００６】  イ）折り鶴おりの工程の約２／３が本考案で簡略化できるため、従来の半分の時間で折り鶴を作成することができる。
ロ）折り鶴のおり方を知らない人でも、簡単に折り鶴をおることができる。
ハ）誰が作成しても、手折りする場合と比べて、同一品質を確保できる。
【図面の簡単な説明】
【図１】  本考案の正面図
【図２】  本考案の詳細な設計図
【図３】  本考案の実施例
【図４】  本考案で折紙に折り目を付けた後の作業イメージ
【符号の説明】
１．は型板１
２．は型板２
３．は型板１と型板２の結合部分
【図１】
0003113308.tif 000003
【図２】
0003113308.tif 000004
【図３】
0003113308.tif 000005
【図４】
0003113308.tif 000006
【手続補正書】
【提出日】平成17年5月10日(2005.5.10)
【手続補正１】
【補正対象書類名】実用新案登録請求の範囲
【補正対象項目名】全文
【補正方法】変更
【補正の内容】
【実用新案登録請求の範囲】
【請求項１】
薄くて型崩れしない金属板やプラスチック板の薄い正方形の２枚の板に折り鶴の折り目をつけ折り畳めるようにした折り鶴おりの補助具。
(57)【要約】      （修正有）【課題】強風による傘の裏返しを防止する。【解決の手段】傘骨の先方部分の傘周囲全体に紐類２を施し、紐類を絞る事により傘骨と傘骨の間がせまくなり、強度が増し傘の裏返しを防止する。絞りを解除する時は、紐類を元の長さまで解除すれば、開くだけで傘全体が元の傘の状態に戻る。【選択図】図２
0003113331.tif 000002
【実用新案登録請求の範囲】
【請求項１】
傘骨の先方部分の傘周囲全体に紐類を通すものを施す。
【請求項２】
紐類をし、紐を引張るだけで傘全体を任意の状態まで絞る事が出来る。又、ワンタッチで傘全体の絞りの状態を解除出来る。
【考案の詳細な説明】
【技術分野】
【０００１】本考案は台風時又は、強風時に傘に強度を持たせ、傘の裏返しを防止することに関する。
【背景技術】
【０００２】
【考案の開示】
【考案の解決しようとする課題】
【０００３】台風時又は、強風時に傘の裏返しを防止し、傘使用時の安全性と傘の損傷を防ぐ。
【課題を解決するための課題】
現在市販の傘は、雨を防ぎ使用時の快適性と便利性が追求されています。ところが、台風時又は、強風時には傘が裏返り、人体への危険と傘の損傷を受ける可能性があります。それを防止する。
【考案の効果】
傘骨先方部分の傘周囲全体に紐類を施し、紐類を絞る事により傘骨と傘骨の間が狭くなり、強風に対する傘の強度が増し、傘の裏返しが防止できる。
【考案を実施するための最良の形態】
【実施例】
【産業上の利用可能性】
【図面の簡単な説明】
【図１】絞り傘を示した平面図である。
【図２】絞り傘を示した断面図である。
【符号の説明】
１．傘先方部分に紐類を施す。
２．紐類
【図１】
0003113331.tif 000003
【図２】
0003113331.tif 000004
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
傘骨の先方部分の傘周囲全体に紐類を通した傘。
【請求項２】
前記紐類を引張ることにより傘全体を任意の状態にまで絞ることができるようにした構造を有する、請求項１に記載の傘。
【手続補正２】
【補正対象書類名】明細書
【補正対象項目名】全文
【補正方法】変更
【補正の内容】
【考案の詳細な説明】
【技術分野】
【０００１】
この考案は、傘に関し、特に傘に強度を持たせ、台風時や強風時に傘が裏返しになることを防止できる傘に関するものである。
【背景技術】
【０００２】
現在市販されている傘は、雨を防いで使用時の快適性や利便性を追求している。ところが、台風時や強風時には、傘が裏返ってしまい、人体に対して危険を及ぼしたり、傘の損傷を招いたりする可能性がある。
【考案の開示】
【考案が解決しようとする課題】
【０００３】
本考案の目的は、台風時や強風時にも傘の裏返しを防止して、傘使用時の安全性を図るとともに、傘の損傷を防止し得る傘を提供することである。
【課題を解決するための手段】
【０００４】
本考案に従った傘は、傘骨の先方部分の傘周囲全体に紐類を通したことを特徴とする。
【０００５】
さらに、好ましくは、傘は、上記の紐類を引張ることにより傘全体を任意の状態にまで絞ることができるようにした構造を有する。
【考案の効果】
【０００６】
本考案によれば、傘骨の先方部分の傘周囲全体に紐類を通し、さらに好ましくはこの紐類を絞ることができるようにしているので、傘骨と傘骨との間隔を狭くし、強風に対する傘の強度を増して傘の裏返しを防止できる。
【考案を実施するための最良の形態】
【０００７】
図１および図２は、本考案の一実施形態を示している。図１は、絞り傘の平面図であり、図２は、絞り傘の部分断面図である。
【０００８】
図１における参照番号１で示すように、複数の傘骨の先方部分を通過し、かつ傘周囲全体に延在するように紐類を施す。
【０００９】
図２における参照番号２で示すように、紐類の一部を下方に垂らして、この部分を引張ることにより傘全体を任意の状態にまで絞ることができるようにする。
【００１０】
上記のような構造とすることにより、紐類を引張って絞れば、傘骨と傘骨との間隔を狭くし、強風に対する傘の強度を増して傘の裏返しを防止することができる。
【産業上の利用可能性】
【００１１】
本考案の絞り傘は、強風時における裏返しを防止することができる傘として有利に利用され得る。
【図面の簡単な説明】
【００１２】
【図１】絞り傘を示す平面図である。
【図２】絞り傘を示す部分断面図である。
【符号の説明】
【００１３】
１  傘周囲全体に延在している紐類、２  下方に垂れ下がった紐類の一部。
(57)【要約】【課題】  木の表面に年輪の凹凸構造があるため、木目が、立体的になり、明白的になることにより、生地が自然的である古臭い装飾を有する年輪凹凸板材を提供する。【解決手段】  年輪凹凸板材の構造設計は、バフ磨きにより、木材の年輪を研磨することにより、平らの表面に、高低や深浅の天然木目が形成され、また、異なる木材により、研磨される板材の木目も異なる。【選択図】図２
0003113393.tif 000002
【実用新案登録請求の範囲】
【請求項１】
建築装飾設計や家具に用いられ、年輪構造の強固特性により、木材の表面をバフ磨きで処理し、異なる木材の材質に従って、異なる木目や高低や深浅の木目が得られる外観が自然であることを特徴とする年輪凹凸板材。
【考案の詳細な説明】
【技術分野】
【０００１】
本考案は、建築壁材や家具部材に適用される年輪凹凸板材に関する。
【背景技術】
【０００２】
一般の建築の装飾設計や家具の組合わせ構造において、木の板は、常用される加工材料であり、当該材質の特徴は、天然な年輪や木目があるため、自然な優美感が与えられ、昔から今まで、よく建物や家具に適用され、当該木材において、材料の年輪や木目を表すため、木材の表面を研磨して、表面を均整な状態にしてから、ワニスを塗ることが用いられ、図１のように、当該方法により処理される木目の板材（１０）は、木材の木目（１１）が完全に現れるが、平面化され且つ輝かしくなる年輪の表面は、人工的な不自然であり、古臭い雰囲気を追求する現在において、当該不自然である材質そして表面が均整である材料は、装飾設計を従事する業者にとって、迷惑なことになり、それについてできるのは、その木材の表面に、異なる色のペンキを塗ることや、異なる表皮を張り替えることであり、それにより、異なる設計を表現するが、如何に装飾しても、作品の美感が不足であり、そして、木材のある元の材質特徴を表現できないこと、改善しなければならないことである。
【考案の開示】
【考案が解決しようとする課題】
【０００３】
本考案者は、年輪や木目の板材において構造外観上の問題及び欠陥を解決するため、関係する製品について、製造に関する長年の経験や技術に基づいて、改良を着手して、本考案の年輪凹凸板材を開発し、主な目的は、板材の外観に自然的に凹凸の年輪構造を与え、古臭い雰囲気を追求するユーザーに満足させる、そして建築や家具の材質として、市場の流行りに合わせ、より実用的な年輪凹凸板材を提供する。
【０００４】
本考案の他の目的は、元の丈夫な天然材質を維持しながら、より良い耐摩損性と安定性及び耐用性を有する年輪凹凸板材を提供する。
【課題を解決するための手段】
【０００５】
本考案は、前記の目的を達成するため、人工でバフ磨きをすることにより、木材の年輪や木目を表して、その表面に、高低及び深浅の木目を有する天然外観を付加し、これにより、実用価値が向上され、従来の欠陥を解決できる。
【考案を実施するための最良の形態】
【０００６】
図面を参照しながら、本考案の構造組合わせや技術手段及び効果を説明する。
【０００７】
まず、図２、３、４を参照しながら、図のように、本考案に係わる構造設計は、主として、原始的且つ天然的な加工されない木の板材（２０）について、バフ磨きにより、板材（２０）にある年輪の木目（２１）を深くすることにより、その表面に、高低の年輪や深浅の木目を有する天然外観を付加し、板材（２０）にある年輪や木目（２１）は、気候や温度によって、変更し、夏場において、温度や湿気が高いため、年輪の構造が、広く離れ、色も薄くて、冬場において、温度や湿気が低いため、年輪の構造が緊密になり、色も深くて、そのため、バフ磨きで板材（２０）の年輪や木目（２１）を研磨する時、年輪の周辺が柔らかいため研磨されて凹みが形成されるが、年輪が堅いため、そのまま、残され、これにより、本考案に係わる年輪凹凸板材の木目が高低になり、また、研磨による板材の表面に対する圧力により、板材構造が、より強固的になる効果が得られる。
【０００８】
また、図５のように、上記のバフ磨きにより、木材の年輪が深浅化され、縦方向の断面にある図柄及び、繊維や仮導管及び導管等の配列からなる木目において、色や線形が、より明白的になり、人工により加工された跡が見えず、視覚上の美観が得られる。
【０００９】
また、図６のように、異なる種類の木材は、材質構造が異なり、同一種類の木でも、生長過程の条件や環境が異なることに従って、形成した年輪や木目は、一致することがなく、研磨された年輪組織や木目の跡は、異なることによりそれぞれ特徴があり、それにより作製された家具や建物装飾は、視覚上、木材の自然的な且つ芸術的な美感が提供し、生活の品質を向上する。全体として、本考案に係わる年輪凹凸板材は、視覚上の美感を創出でき、従来の年輪板材の欠陥を解消できる実用性を有する創新設計であるため、法に従って実用新案登録請求を出願する。
【図面の簡単な説明】
【００１０】
【図１】従来の平らの年輪板材の立体概念図
【図２】本考案に係わる年輪凹凸板材の作製過程の概念図
【図３】本考案に係わる年輪凹凸板材の立体概念図
【図４】本考案に係わる年輪凹凸板材の平面概念図
【図５】本考案に係わる年輪凹凸板材の側面概念図
【図６】本考案に係わる他の年輪凹凸板材の立体概念図
【符号の説明】
【００１１】
（１０）板材      （１１）木材の木目
（２０）板材      （２１）年輪や木目
【図１】
0003113393.tif 000003
【図２】
0003113393.tif 000004
【図３】
0003113393.tif 000005
【図４】
0003113393.tif 000006
【図５】
0003113393.tif 000007
【図６】
0003113393.tif 000008
(57)【要約】      （修正有）【課題】美観や室外から室内への視界を遮る効果がある防虫網を提供する。【解決手段】表面に浮世絵などの絵画や ステンドグラスと同様の模様などをプリントした防虫網 または 螺鈿様の箔押しをした裏面が黒色の防虫網を網戸に使用した。【選択図】図１
0003113400.tif 000002
【実用新案登録請求の範囲】
【請求項１】
表面に浮世絵などの絵画をプリントした防虫網
【請求項２】
表面にステンドグラスと同様の模様をプリントした防虫網
【請求項３】
表面に螺鈿様の箔押しをした防虫網
【請求項４】
裏面を黒色にプリントした 請求項１または請求項２または請求項３記載の それぞれの防虫網。
【考案の詳細な説明】
【技術分野】
【０００１】
本考案は防虫網の改良に関する
【背景技術】
【０００２】
従来の防虫網を使用している網戸は 室内に蝿や蚊などの進入を防ぐことを主目的としている。
【考案の開示】
【考案が解決しようとする課題】
【０００３】
従来の防虫網を使用している網戸は 室内に蝿や蚊などの進入を防ぐことを主目的としているので、防虫網自体の美観や 室外から室内への視界を遮る効果については充分な考慮がなされていなかった。
【課題を解決するための手段】
【０００４】
本考案は上記の課題を解決するために表面に浮世絵などの絵画や ステンドグラスと同様の模様などをプリントした防虫網を網戸に使用した。
【０００５】
別案として表面に螺鈿様の箔押しをした防虫網を網戸に使用した。
【考案の効果】
【０００６】
表面に浮世絵などの絵画や ステンドグラスと同様の模様などをプリントした防虫網を網戸に使用すると 防虫網自体の美観を向上させ さらに網目内の空白部を補充して知覚しようとする錯視により室外から室内への視界を悪くする効果が得られる。
又 表面に螺鈿様の箔押しをした防虫網を網戸に使用すると 光線の乱反射により 室外から室内への視界を悪くする効果が得られる。
【考案を実施するための最良の形態】
【０００７】
表面に浮世絵などの絵画や ステンドグラスと同様の模様などをプリントした防虫網 又は螺鈿様の箔押しをした防虫網を網戸に使用し表面を室外に向けて取りつける。
また 上記の各防虫網の裏面を黒色にプリントすると室内から室外への視界が良好になるので 併せて実施する。
さらに 上記の効果を得るため ブラックネットの表面に絵画やステンドグラスと同様の模様などをプリントする方法も利用することが出来る。
【産業上の利用可能性】
【０００８】
本考案の防虫網を使用した網戸を取りつけることで 網戸の美的価値が向上し 併せて室外から室内への視界を悪くするという効果が得られるので 個人情報を保護する目的でも集合住宅や街路に面した住宅での利用が期待できる。
【図面の簡単な説明】
【０００９】
【図１】防虫網の平面図
【図２】防虫網隅部の拡大断面図
【符号の説明】
【００１０】
（１）防虫網の隅部
（２）表面のプリント部分
（３）防虫網の本体
（４）裏面のプリント部分
【図１】
0003113400.tif 000003
【図２】
0003113400.tif 000004
(57)【要約】      （修正有）【課題】ペットボトルやプラクルの回収時に、中身が軽いため風に飛ばされて散乱するのを防ぐ。【解決手段】ごみ収集袋の一部に粘着機能を持たせて、順に貼り付けながら回収場所に置く様にすれば、飛び散りを防ぐ事が出来る。１は、収集袋、２は、粘着シール、３は、シールを剥がす状態。【選択図】図１
0003113321.tif 000002
【実用新案登録請求の範囲】
【請求項１】
ごみ収集袋の外側の一部分に粘着機能を持たせる。
【考案の詳細な説明】
【考案の詳細な説明】
【０００１】  〔考案が解決しようとする課題〕
現在、ペットボトルやプラクルは再利用という事で生ごみとは別に回収されて居ります。ペットボトルにしてもプラクルにしても軽いため風のある日は収集袋の上に網で履ってあっても飛び散って困っているのが実状である。
【０００２】  〔課題を解決するための手段〕
収集袋の一部分に“貼って使うカイロ”のように粘着機能を持たせる。この袋をペットボトル等回収指定の袋とし、集積場所に置く時、既に置かれている袋に次々と貼り着けながら置いていくと飛び散る事もない。ペットボトル等は軽いので収集袋がまとまっても重くて困る事もないと思はれる。
【図面の簡単な説明】  〔図１〕
粘着機能を持つ収集袋
【符号の説明】
１  収集袋
２  粘着シール
３  シールを剥がす状態
【図１】
0003113321.tif 000003
【手続補正書】
【提出日】平成17年5月17日(2005.5.17)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
袋の外側の一部分に粘着機能を持たせたごみ収集袋。
(57)【要約】      （修正有）【課題】シ−トベルトの着用がスム−ズにできるように、シ−トベルト差込み補助パ−ツを提供する。【解決手段】現状の差込み部品６０の上部に嵌め込むことで、シ−トベルト７０の着用がスム−ズに行うことができるシ−トベルト差込み補助パ−ツ。【選択図】図２
0003113326.tif 000002
【実用新案登録請求の範囲】
【請求項１】
車のシ−トベルト７０の着用において、材質は樹脂が好ましくゴム、又は木製で、色はどんな色でもよく、図示するように現状の差込み部品６０の上部に嵌め込みできるように、４面１０、２０、３０、及び４０の内で１面１０から対向する面３０に向かって、嵌め込み固定できる溝５０を設け、面３０をフラットにしたことで、着用がスム−ズになることを特徴とするシ−トベルト差込み補助パ−ツ。
【考案の詳細な説明】
【技術分野】
【０００１】  本考案は、車のシ−トベルト７０着用がスム−ズに行うことができるシ−トベルト差込み補助パ−ツに関する。
【背景技術】
【０００２】  車のシ−トベルト７０において、現状の差込み部品６０の上部の巾が狭く丸みがある。
【考案の開示】
【考案が解決しようとする課題】
【０００３】  現状のシ−トベルト７０の着用する差込み部品６０の上部は、巾が狭く丸みがあるため差込み時に指が滑り落ちる欠点がある。
【課題を解決するための手段】
【０００４】  本考案は、上記課題を達成するために、図示するように現状の差込み部品６０の上部に嵌め込み、面３０をフラットにしたことで、着用時に差込みがスム−ズにできるシ−トベルト差込み補助パ−ツ。
【考案の効果】
【０００５】  本考案によれば、シ−トベルト差込み補助パ−ツを嵌め込むことで、着用がスム−ズにできるので、イライラも無くなり、色彩な赤、青、緑では気分も爽やかになり、フアッション性もあり、安全運転にもつながる。又取付けも簡単で安価にできる利点がある。
【考案を実施するための最良の形態】
【０００６】  シ−トベルト差込み補助パ−ツを嵌め込むことで、誰でもスム−ズに着用できる。
【実施例】
【０００７】  本考案の実施例は図２に示されているように、シ−トベルト差込み補助パ−ツは簡単に嵌め込みができる。
【産業上の利用可能性】
【０００８】  本考案の、シ−トベルト差込み補助パ−ツは大量生産ができ、取付け取替えも簡単である。
【図面の簡単な説明】
【０００９】
【図１】  本考案のシ−トベルト差込み補助パ−ツを示した正面及び側面図である。
【図２】  シ−トベルト差込み補助パ−ツの実施を示した正面及び側面図である。
【符号の説明】
【０００１０】  １０  面
２０  面
３０  面
４０  面
５０  溝
６０  現状の差込み部品
７０  シ−トベルト
【図１】
0003113326.tif 000003
【図２】
0003113326.tif 000004
【手続補正書】
【提出日】平成17年5月17日(2005.5.17)
【手続補正１】
【補正対象書類名】実用新案登録請求の範囲
【補正対象項目名】全文
【補正方法】変更
【補正の内容】
【実用新案登録請求の範囲】
【請求項１】
車のシ−トベルト７０がスム−ズに着用できるように、差込み部品の上面をフラットにするため、材質は樹脂が好ましくゴム、又は木製で、色はどんな色でもよく、長方体で、長さはシ−トベルト７０の巾より少し長く、下部の面１０から対向する上部の面３０に向けて、差込み部品の上面から、シ−トベルト７０の通過口まで、又両側部の面２０、４０及び上部の面３０の厚みはできるだけ薄くして、嵌め込み密着できる深さの溝５０をもうけ、シ−トベルト７０の差込み部品の上部に嵌め込むことで、差込み上面をフラットにしたことを、特徴とするシ−トベルト差込み補助パ−ツ。
【手続補正書】
【提出日】平成17年5月17日(2005.5.17)
【手続補正１】
【補正対象書類名】明細書
【補正対象項目名】０００４
【補正方法】変更
【補正の内容】
【０００４】  本考案は、上記課題を達成するために、車のシ−トベルトの差込み部品の上面をフラットにするため、材質は樹脂が好ましくゴム、又は木製で、色はどんな色でもよく、長方体で、長さはシ−トベルト７０の巾より少し長く、下部の面１０から対向する上部の面３０に向けて、差込み部品の上面から、シ−トベルト７０の通過口まで、又両側部の面２０、４０及び上部の面３０の厚みはできるだけ薄くして、嵌め込み密着できる深さの溝５０をもうけ、シ−トベルト７０の差込み部品の上部に嵌め込むことで、差込み上面をフラットにしたことで、着用時の差込みがスム−ズにできる、シ−トベルト差込み補助パ−ツ。
【手続補正２】
【補正対象書類名】明細書
【補正対象項目名】０００５
【補正方法】変更
【補正の内容】
【０００５】  本考案によれば、シ−トベルト差込み補助パ−ツを嵌め込むことで、上面の面３０がフラットであるから、差込み時に滑りにくく力も入りやすく、着用がスム−ズにできるので、イライラも無くなり、又色彩は赤、緑、青では気分も爽やかになり、ファッション性もあり、安全運転にもつながる。シンプルな構造であり、取り付けも簡単で安価にできる利点がある。
【手続補正３】
【補正対象書類名】明細書
【補正対象項目名】０００６
【補正方法】変更
【補正の内容】
【０００６】  シ−トベルト差込み補助パ−ツは、外形は長方体で、嵌め込む部分に密着できる溝５０をもうけ、又側部の面２０、４０及び上部の面３０の厚みはできるだけ薄く、各々外面の角の面取り及びテ−パ−を付けることで、現状の差込み部品６０の上部に嵌め込んでも何の違和感もない。
(57)【要約】【課題】工事施工管理に伴う出来形測定あるいは資材の検収測定の写真撮影に当たり、従来メジャーや黒板を保持するのに補助者が必要であったが、本考案では補助者の必要が無く、撮影者単独で写真撮影を可能にする。【解決手段】工事用黒板に寸法測定用のメジャーを装着し且つメジャーは測定物の大きさに対応出来るように自在に伸縮するものとする。更に黒板を測定対象物に支持固定するために伸縮自在の支持棒を装着する。【選択図】図１
0003113327.tif 000002
【実用新案登録請求の範囲】
【請求項１】
工事施工管理に伴う写真撮影に補助者を必要とせず撮影者単独で撮影が出来るよう、黒板に寸法測定用のメジャー及びカーソルを装着することを特徴とする工事用黒板。
【考案の詳細な説明】
【技術分野】
【０００１】  本考案は建設現場の出来形測定及び資材の検収測定に使用する工事用黒板に関する技術である。
【背景技術】
【０００２】  工事現場では施工管理上、目的物の出来形及び検収物を寸法表示のうえ証拠として写真撮影しなければならない。その際、メジャーを使用し寸法表示するのに撮影者以外に別に補助者を要する。
【考案の開示】
【考案が解決しようとする課題】
【０００３】  解決しようとする問題点は、撮影者以外に補助者を用いてメジャーを保持固定しなければならない点にある。
【課題を解決するための手段】
【０００４】  本考案は、出来形の寸法表示をするのに補助者を用いてメジャーを保持固定する代わりに、メジャーを工事用黒板に装着することを最も主要な特徴とする。
【考案の効果】
【０００５】  本考案のメジャー付き工事用黒板は、メジャー自体が黒板に装着されているため、従来のようにメジャーを保持固定するための補助者を要せず、撮影者が一人で出来形の寸法表示の保持固定が出来、且つ写真撮影が出来るという利点がある。
【考案を実施するための最良の形態】
【０００６】  出来形及び測定対象物の大小に即応出来るようメジャー自体は伸縮出来る形態として、メジャーを工事用黒板の上部下部及び左右側部に装着し、且つ寸法表示をするためのカーソルを磁力でメジャーに固定し、黒板の背面には黒板を出来形及び測定対象物に支持固定するために伸縮自在の支持棒を装着して最良の形態を実現した。
【実施例１】
【０００７】  図１は、本考案の１実施例の正面図であり、１は工事用黒板、２は縦方向を測定するメジャー、３は横方向を測定するメジャー、４及び５は寸法表示をするためのカーソル、６は出来形及び測定対象物である。【０００８】  図２は、本考案の１実施例の側面図であり、１〜６は図１と同様である。７は黒板を出来形及び測定対象物に支持固定する為の支持棒である。【０００９】  出来形及び測定対象物６は、例えば建築物のコンクリート壁や布基礎等であり、あらゆる構造物の厚さ、高さ、長さなどを測定するためカーソル４を基点０ｃｍに設定し、カーソル５を実際値に設定して設計値との比較を写真撮影出来る。
【産業上の利用可能性】
【００１０】  建設現場での出来形の測定及び資材検収の写真撮影時に補助者を必要とすることなく単独で撮影が出来る。
【図面の簡単な説明】
【００１１】
【図１】メジャー付き工事用黒板の実施方法を示した正面図である。
【図２】メジャー付き工事用黒板の実施方法を示した右側面図である。
【符号の説明】
【００１２】１  工事用黒板
２  縦方向を測定するメジャー
３  横方向を測定するメジャー
４  基点を示すカーソル
５  実際値を示すカーソル
６  出来形及び測定対象物
７  黒板の固定支持棒
【図１】
0003113327.tif 000003
【図２】
0003113327.tif 000004
(57)【要約】      （修正有）【課題】ご飯・おかず・汁物の三つの部分に分かれたランチジャーの汁物容器は、ねじ山の凹凸のため、直接口をつけて飲むとこぼれ易いという問題点を解決した汁物容器の提供。【解決手段】汁物容器のねじ山位置を下げ、容器のふちからねじ山までの長さを最低８ｍｍ以上にする。【選択図】図１
0003113328.tif 000002
【実用新案登録請求の範囲】
【請求項１】
ご飯・おかず・汁物の三つの部分に分かれたランチジャーの汁物容器において、容器のふちからねじ山部分までの長さが８ｍｍ以上あり、汁物の飲み口部分が設けてあること。
【考案の詳細な説明】
【考案の詳細な説明】
【技術分野】
【０００１】  本考案は、ご飯・おかず・汁物の３つの部分に分かれた携帯用保温ランチジャーの容器のうち、汁物容器の形状に関する改良案である。
【背景技術】
【０００２】  従来の容器では、ねじ込み式の蓋とパッキンによって内容物の漏れを防止していた。
【考案の開示】
【考案が解決しようとする課題】
【０００３】  汁物容器の場合、容器に直接口をつけて飲むため、ねじ山が口唇に当たり、汁物がたれこぼれやすいという問題点がある。
【課題を解決するための手段】  これを解決するため、汁物容器のねじ山位置を下げ、容器のふちからねじ山までの長さを最低８ｍｍ以上にする。
【考案の効果】  以上の改良を行うことで、安定して口唇の当てられる余裕を設け、汁物の横漏れを防ぎ、飲みやすい容器にすることができる。
【考案を実施するための最良の形態】
【０００４】  上記の改良を行うと、蓋の高さはねじ山部分に加えて口唇の当たる余裕の部分を含むことになり、従来よりも大きくなる。このため、容器の高さに閉める蓋の高さの割合が大きくなり、蓋の開閉がしにくくなる可能性がある。  これを解決するため、容器及びねじ蓋の側面に滑り止めの溝を刻むなどの工夫を施すことが望ましい。
【図面の簡単な説明】
【０００５】
【図１】ランチジャー汁物容器を側面から見た図。
【図１】
0003113328.tif 000003
(57)【要約】【課題】    本考案は眼鏡を掛けたままで日差しの強い夏の陽光、紫外線から目や顔を守ってくれる物である。それに、装着したまま帽子を被れるように考えた物である。【解決手段】  本考案は上から好きな帽子を被れる様にして、眼鏡の上から装着出来るようにし、下からの照り返しを防ぐためにサンブロックフエイスの先を屈折させたものである。従って、目や顔だけでなく帽子を被ることが出来るので頭や首を陽光から守ることが出来る。【選択図】  図３
0003113324.tif 000002
【実用新案登録請求の範囲】
【請求項１】
日除け（通称サンバイザ−）の頭に掛かる部分をカチュウシャにして、顔にくる日除けの部分をカチュウシャに付けて、上から帽子が被れる様にしたサンブロックフエイスで有る。
【考案の詳細な説明】
【技術の分野】
【０００１】  本考案は紫外線から顔や目を守るために帽子の下につけられる様にした、サンブロックフエイスである。
【０００２】  サングラスだけでは眼鏡の回りから紫外線が入ってくる。下からの照り返しから目を守り、サンブロックフエイスを付けた上から帽子が被れる。
【考案の開示】
【考案が解決しようとする課題】
【０００３】  眼鏡の上から出来るのでサングラスがいらない。下からの照り返しを無くすための返しがある。どんな帽子でも上から被れるので首から上全体を紫外線から守ってくれる。
【課題を解決する為の手段】
【０００４】  どんな帽子でも上から被れる様に顔を覆う部分を支える所を（通称カチュウシャ）又はヘッドホンの頭の部分と同様なものを使い、サンバイザ−の先を下からの反射を防ぐ為屈折部分を作る。
【考案の効果】
【０００５】  サンブロックフエイスをつけて帽子を被ったら、眼鏡を掛けて居る人はサングラスがいらない。照り返しを防いでくれるので目が疲れない。首から上を紫外線から守ってくれる。
【考案の実施する為の最良の形態】
【０００６】  軽くて、あまり濃い色でないほうが顔が見えてよいが、濃くてもいい。
【図面の簡単な説明】
【０００７】
【図１】本考案のブロックフエイスの部分を頭の方に引き上げた図
【図２】ブロックフエイスの部分を下げた図
【図３】本考案のサンブロックフエイスを人が装着した図
【図４】サンブロックフエイスを装着した上から帽子を被った図
【符号の説明】
【０００８】１  サンブロック
２  サンブロックの先の屈折部分
３  サンブロック部分を支える通称カチュシャの部分
４  帽子
【図１】
0003113324.tif 000003
【図２】
0003113324.tif 000004
【図３】
0003113324.tif 000005
【図４】
0003113324.tif 000006
(57)【要約】      （修正有）【課題】レジに紙幣透かし部への照射機能を持たせ、瞬時に紙幣の透かしの偽造等の不正を発見し犯罪を防止する【解決手段】手動スイッチ２、電源部、発光部４を内蔵したシート１をレジに装填し、透かし図柄の確認が容易にできるようにし、又そのシートにはレジの形状に合わせ裁断することで互換性をもたせ、紙幣の偽造などの不正発見、犯罪防止に役立つ。【選択図】図１
0003113322.tif 000002
【実用新案登録請求の範囲】
【請求項１】
キャッシュ・レジスターの紙幣一時置き台に、紙幣が置かれた時電源スイッチを作動させ透かし部の下側から紙幣を透かし図柄を見やすくしたキャッシュ・レジスター用紙幣透かし図柄確認装置内臓シート。
【請求項２】
シートに電源スイッチ、発光ダイオード（ＬＥＤ）、電源のコイン型リチューム電池、更に紙幣を押さえるためのマグネットクリップ用の鉄製の受け金具をモールド成形で内臓し超薄型でコンパクトな一体型にし、しかも一時置き台の形状に合わせ後で裁断して利用できるキャッシュ・レジスター用紙幣透かし図柄確認装置内臓シート。尚、透かしの真贋判定するものでない。
【考案の詳細な説明】
【技術分野】
【０００１】  本考案は紙幣のキャッシュ・レジスターの紙幣一時置き台（以下、レジ、と呼ぶ）の紙幣透かし部図柄を、簡単に確認見やすくした、手動発光装置を内臓したシートに関するものである。
【背景技術】
【０００２】  複写技術や印刷技術の一般化や高度化に伴い犯罪につながる不正技術も巧妙化する中で、紙幣の受け渡しの際に、受け取った紙幣をレジに置く前、又は置いた後の作業の中で手に取って上にかざす所作には抵抗感がありなかなか実行出来ない。互いの信頼関係を確認しあう作業を速やかに行うためにはレジに紙幣の透かし図柄確認が容易に出来る技術が必要不可欠とされていたが、不正に対する発見技術は開発が遅れ困難な作業であった。
【考案の開示】
【考案が解決しようとする課題】
【０００３】  レジで受け取った紙幣の透かし部分を上から確認し不正の発見をするのは非常に難しく、又詳細に確認するために受け取った側が再度手に取り出し別の方法で確認するには紙幣を渡す側との信頼関係を著しく損ないかねない状況であり、紙幣一時置き台に紙幣が置かれた段階で紙幣透かし図柄確認が速やかに自然な状態で行われることが必要あった。レジに照射機能を装備することで、その困難な部分を解決しようとするものである。
【課題を解決しようとする手段】
【０００４】  本考案はレジにスイッチ、発光部、電源部、マグネットクリップ受け用金具（以下、クリップ受け、と呼ぶ）、をシート状プレートに内臓しそれをレジに設備し紙幣がレジに置く作業の中で手動スイッチを作動させ紙幣透かし部を確実に照射し速やかに確認出来る構造になっており、困難な問題点を解決している。
【考案の効果】
【０００５】  発光装置（スイッチ、発光部、電源部、）及びクリップ受け一式をシートに内臓することでレジに取り付けやすく、金銭授受の際、その作業が手順よく自然な流れで速やかに行われる為、紙幣を渡す側と受け取る側双方の信頼関係を損なうことはなく、紙幣の受け渡しと同時に不正発見も早く犯罪防止になる。
【考案を実施するための最良の形態】
【０００６】  シート内部に発光装置、クリップ受け全てを内臓しても部品全体がシートの少ないスペースに収納されているため装置を破損しない範囲であればシートを裁断して利用できるためレジの形状の違い及び場所違い等に対応しやすく、シート本体の取り外しも容易に出来る。
【実施例】
【０００７】  以下添付図面に従って実施例を説明する、手動スイッチ、発光体、反射板、電源部、又クリップ受けをシートに内臓しそれを一体モールド成形してあるため絶縁性に優れ、漏電による故障も少ない。
【実施例】
【０００８】  電源は薄型軽量のコイン型リチュ−ム電池、発光体は高輝度発光ダイオード、広角度反射板を使用し、小型スイッチは２箇所（内一箇所はクリップ受け部）に配置しレジに装填する時の自在性を有する、又成形されたシートは裁断可能なため多種類の形状のレジとの互換性が期待できる。
【産業上の利用可能性】
【０００９】  複写技術の高度化に伴い犯罪につながる不正技術も巧妙化しており、金銭の受け渡しは人と人と信頼関係を深める大事な行為であり、本考案のレジ用シートでの金銭の受け渡しはそれを一層深める行為となる、しかもその際犯罪を防止する効果があれば産業上安心した取引が出来る。
【図面の簡単な説明】
【００１０】
【図１】本考案の実施例を示す平面図である
【図２】本考案の実施例を示す正面図である
【図３】本考案の実施例を示す側面図である
【図４】本考案の実施例を示す断面図である
【図５】本考案の実施例を示す回路図である
【図６】本考案の使用例である
【符号の説明】
【００１１】１  レジ用シート本体
２  手動スイッチ１
３  反射板
４  発光ダイオード
５  手動スイッチ２
６  マグネットクリップキャッチ
７  コイン型リチューム電池１，２
【図１】
0003113322.tif 000003
【図２】
0003113322.tif 000004
【図３】
0003113322.tif 000005
【図４】
0003113322.tif 000006
【図５】
0003113322.tif 000007
【図６】
0003113322.tif 000008
【手続補正書】
【提出日】平成17年5月13日(2005.5.13)
【手続補正１】
【補正対象書類名】実用新案登録請求の範囲
【補正対象項目名】全文
【補正方法】変更
【補正の内容】
【実用新案登録請求の範囲】
【請求項１】
シートに発光ダイオード、手動スイッチ、電源のコイン型リチューム電池、更に紙幣を押さえるためのマグネットクリップ用の鉄製の受け金具をモールド成形で内臓し超薄型でコンパクトな一体型にし、しかも一時置き台の形状に合わせて裁断し利用できるキャッシュ・レジスター用紙幣透かし図柄確認装置内臓シート。
【手続補正２】
【補正対象書類名】明細書
【補正対象項目名】０００７
【補正方法】変更
【補正の内容】
【０００７】  以下添付図面図１に従って実施例を説明する、手動スイッチ２，５、発光ダイオード４、反射板３、電源部７、又クリップ受け６をシート１に内臓しそれを一体モールド成形する。
【手続補正３】
【補正対象書類名】明細書
【補正対象項目名】０００８
【補正方法】変更
【補正の内容】
【０００８】  電源は薄型軽量のコイン型リチューム電池７、発光体は高輝度発光ダイオード４、広角度反射板３で構成し、小型スイッチ２，５は２箇所（内一箇所はクリップ受け部）に配置しレジに装填する時の自在性を持たせ、又成形されたシートは裁断可能なため多種類の形状のレジとの互換性が期待できる。
【手続補正４】
【補正対象書類名】明細書
【補正対象項目名】００１１
【補正方法】変更
【補正の内容】
【００１１】  １レジ用シート  ２手動スイッチ１  ３反射板  ４発光ダイオード  ５手動スイッチ２  ６マグネットクリップ受け  ７コイン型リチューム電池